(57)【要約】【課題】  異なる放送番組が混在したデータをユーザが使いやすく管理する。【解決手段】  テレビジョン放送を受信し、放送番組の動画像データを出力する受信手段と、前記受信手段から出力された動画像データを記録媒体に記録する記録手段と、記録開始の指示から記録停止の指示までの間に前記記録手段により記録された動画像データにおいて異なる放送番組にそれぞれ対応する部分を示す管理データを生成する生成手段とを備える。【選択図】  図３
2008294833.tif 000002
【特許請求の範囲】
【請求項１】
テレビジョン放送を受信し、放送番組の動画像データを出力する受信手段と、
前記受信手段から出力された動画像データを記録媒体に記録する記録手段と、
記録開始の指示から記録停止の指示までの間に前記記録手段により記録された動画像データにおいて異なる放送番組にそれぞれ対応する部分を示す管理データを生成する生成手段とを備える記録装置。
【請求項２】
前記管理データに基づいて、前記異なる放送番組毎に前記記録媒体に記録された動画像データを選択するための選択用画面を生成して表示装置に表示する制御手段と、前記選択用画面に表示された放送番組の中から選択された放送番組の動画像データを再生する再生手段とを備えたことを特徴とする請求項１記載の記録装置。
【請求項３】
前記制御手段は更に、前記管理データに基づいて前記記録媒体に記録された動画像データを前記放送番組毎に再生するためのプレイリストを生成し、前記選択用画面に表示された放送番組のうち選択された放送番組のプレイリストに従って前記選択された放送番組の動画像データを再生するよう前記再生手段を制御することを特徴とする請求項２記載の記録装置。
【請求項４】
前記再生手段により再生された動画像データを第２の記録媒体に記録する第２の記録手段を備えたことを特徴とする請求項２または３記載の記録装置。
【請求項５】
前記記録媒体から前記動画像データを再生する再生手段を備え、
前記制御手段は更に、前記管理データに基づいて前記記録媒体に記録された動画像データを前記異なる放送番組毎に再生するためのプレイリストを生成し、
前記再生手段は前記プレイリストに従って前記放送番組の動画像データを再生することを特徴とする請求項１記載の記録装置。
【請求項６】
記録開始の指示から記録停止の指示までの間に前記記録手段により前記記録媒体に記録された動画像データを一つのファイルとして管理する管理手段を備えたことを特徴とする請求項１記載の記録装置。
【請求項７】
前記生成手段は、前記記録手段による前記動画像データの記録中に前記放送番組の変化を検出したことに応じて前記管理データを更新することを特徴とする請求項１記載の記録装置。
【請求項８】
前記異なる放送番組毎に前記記録媒体に記録された動画像データを異なるファイルとして管理する管理手段を備えたことを特徴とする請求項１記載の記録装置。
【請求項９】
前記記録媒体に記録された動画像データを再生する再生手段と、複数の放送番組のうち選択された放送番組のファイルを前記管理データに基づいて選択し、前記選択したファイルの動画像データを再生するよう前記再生手段を制御する制御手段とを備えることを特徴とする請求項８記載の記録装置。
【請求項１０】
前記制御手段は、前記管理データに基づいて、前記異なる放送番組毎に前記記録媒体に記録された動画像データを選択するための選択用画面を生成して表示装置に表示し、前記選択用画面に表示された放送番組の中から選択された放送番組のファイルを前記管理データに基づいて選択し、前記選択したファイルの動画像データを再生するよう前記再生手段を制御することを特徴とする請求項９記載の記録装置。
【請求項１１】
前記管理データは、記録開始の指示から記録停止の指示までの間に前記記録手段により記録された動画像データにおいて前記異なる放送番組にそれぞれ対応する部分を示すことを特徴とする請求項１記載の記録装置。
【請求項１２】
テレビジョン放送を受信し、放送番組の動画像データを出力する受信手段と、
前記受信手段から出力された動画像データを記録媒体に記録する記録手段と、
記録開始の指示から記録停止の指示までの間に前記記録手段により記録された動画像データにおいて異なる放送番組にそれぞれ対応する部分毎に前記動画像データを再生するためのプレイリストを生成する生成手段とを備える記録装置。
【請求項１３】
テレビジョン放送を受信し、放送番組の動画像データを出力する受信手段と、
前記受信手段から出力された動画像データを記録媒体に記録する記録手段と、
前記記録手段により記録された動画像データを、記録開始の指示から記録停止の指示までの間に前記記録手段により記録された動画像データにおいて異なる放送番組にそれぞれ対応する部分毎に異なるファイルとして管理する管理手段とを備える記録装置。
【発明の詳細な説明】
【技術分野】
【０００１】
本発明は記録装置に関し、特に、テレビ放送番組を記録する装置に関する。
【背景技術】
【０００２】
現在、地上デジタル放送が開始され、年々、受信可能地域が増加している。
また、この様なデジタル放送開始に伴い、デジタル放送を受信し、放送番組をデジタルデータのまま大容量ハードディスク（ＨＤＤ）や光ディスクなどに記録するデジタルレコーダも登場している。
【０００３】
デジタル放送では、通常の放送番組の他、放送予定の番組の情報も放送波に多重されて送信される。
【０００４】
そこで、受信機では、この番組情報を受信し、電子番組表（ＥＰＧ）を表示して、視聴予約や録画予約を行う機能を持つことが一般的になっている（例えば、特許文献１参照）。
【０００５】
例えば、ＥＰＧを使って予約録画を行う場合、ユーザは、番組表に表示された放送番組の中から録画したい番組を選択し、予約設定するだけで、簡単に予約録画を行うことができる。
【０００６】
この様にＥＰＧを使って予約録画された番組は、例えば、再生時に録画済みの番組一覧などからユーザが再生したい番組を選択し、再生を指示するだけで、簡単に再生することができる。
【特許文献１】特開２００２−１７１４５４
【発明の開示】
【発明が解決しようとする課題】
【０００７】
前述のように、ＥＰＧを使って予約録画された番組は、ＨＤＤ上では放送番組単位で管理されるため、ユーザは、録画済み番組のリストから所望の番組を選ぶだけで、その番組を再生することができる。
【０００８】
しかしながら、デジタルレコーダでは、ＥＰＧによる予約録画ではなく、ユーザが自ら録画日時とチャンネルを指定して予約録画を行う、タイマー録画機能を持つものが多い。
【０００９】
タイマー録画の場合、ＥＰＧによる予約録画と違い、１回に録画されるデータに複数の放送番組が含まれることがある。
【００１０】
従来は、この様に１回に録画されるデータに複数の放送番組が含まれる場合であっても、一つの番組として管理している。
【００１１】
そのため、ユーザは、タイマー録画されたデータに複数の放送番組が含まれていた場合、早送りなどにより再生したい番組を自ら頭出しする必要があり、大変使い勝手が悪かった。
【００１２】
この様な問題は、タイマー録画の時だけでなく、ユーザが手動で録画開始、及び停止を指示して放送番組を録画する場合にも発生する。
【００１３】
本発明はこの様な問題を解決し、１回に記録されたデータ中に複数の放送番組が含まれていた場合にも、番組毎に容易に再生することができる装置を提供することを目的とする。
【課題を解決するための手段】
【００１４】
テレビジョン放送を受信し、放送番組の動画像データを出力する受信手段と、前記受信手段から出力された動画像データを記録媒体に記録する記録手段と、記録開始の指示から記録停止の指示までの間に前記記録手段により記録された動画像データにおいて異なる放送番組にそれぞれ対応する部分を示す管理データを生成する生成手段とを備える。
【発明の効果】
【００１５】
本発明によれば、異なる放送番組が混在したデータをユーザが使いやすく管理することができる。
【発明を実施するための最良の形態】
【００１６】
図１は、本発明の実施形態としてのテレビ（ＴＶ）受信機１００の構成を示す図である。
図１のＴＶ受信機１００は、地上デジタル放送などのテレビ放送を受信して液晶パネルにその画像を表示する。また、ＴＶ受信機１００は、放送番組のデータを内蔵するハードディスク（ＨＤＤ）または、ＤＶＤに対して記録再生する機能を持つ。なお、ＨＤＤやＤＶＤ以外の記録媒体を用いることももちろん可能である。
【００１７】
まず、記録装置１００による基本的なテレビ放送の受信動作及び、記録再生動作について説明する。
【００１８】
アンテナ１０１は、放送局から送信されたテレビジョン放送信号を受信する。ユーザは操作入力部１０９を用いて受信するチャンネルを指定する。制御部１１０はユーザにより指定されたチャンネルの放送信号を受信するよう、チューナ１０２に受信チャンネルの情報を送る。チューナ１０２は、アンテナ１０１によって受信された全チャンネルの放送信号の中から、ユーザによって指定されたチャンネルの放送信号（特定の周波数の、多重化された放送信号の中から抽出された１つの放送信号）を取り出す。
【００１９】
復調部１０３は、チューナ１０２によって取り出されたデジタル放送信号をベースバンド信号に復調し、情報データ列（トランスポートストリーム：ＴＳ）を生成し、ＴＳデコーダ３０４に出力する。ＴＳには、放送番組の画像データや音声データに加え、各種の制御信号、放送番組の選択を容易にする番組配列情報（ＳＩ：Ｓｅｒｖｉｃｅ  Ｉｎｆｏｒｍａｔｉｏｎ）そしてデータ放送用のデータ等が多重化されている。放送局では、ＴＳに対して誤り訂正符号化処理を施し、更にスクランブルされて伝送している。
【００２０】
ＴＳデコーダ１０４は、復調部１０３から供給されたＴＳをデスクランブル、誤り訂正復号化する。本実施形態では、放送信号に含まれるデジタル信号ストリームはＭＰＥＧ２−ＴＳ形式のストリームである。ＴＳデコーダ１０４は、ＴＳから動画像データ及び音声データのエレメンタリストリームを抽出し符号化処理部１０５へ出力する。また、ＴＳデコーダ１０４は、ＴＳに含まれる制御信号、ＳＩを分離して制御部１０９に送る。更に、ＴＳデコーダ１０４は、ＴＳに含まれるデータ放送用のデータを分離してデータ放送処理部１０６に出力する。
【００２１】
符号化処理部１０５は、ＴＳデコーダ１０４から供給された画像データと音声データを復号し、映像データを表示制御部１０７に送ると共に音声データを音声出力部１１４に送る。
【００２２】
表示制御部１０７は、符号化処理部１０５により復号された動画像データに係る放送番組の画像をディスプレイ１０８に表示する。また、音声出力部１１４は、符号化処理部１０５により復号された音声データに係る音声をスピーカ１１５から出力する。
【００２３】
操作入力部１０９は公知のリモコン装置及びリモコン装置からのコマンドを受ける受信機を含み、ユーザは操作入力部１０９により受信チャンネルを所望のチャンネルに切り替えることができる。また、操作入力部１０９は、周知の様に、電源ボタンやチャンネルボタン、音量ボタンの他、十字キーや決定キー、データ放送用のボタン、ＥＰＧボタンなどを有する。更に、本実施形態では、放送番組の記録再生のため、記録、停止、再生、早送りなどのボタンを持つ。
【００２４】
また、操作入力部１０９により、データ放送の表示の指示があると、制御部１１０はデータ放送処理部１０６に対し、現在受信中の番組に関するデータ放送の表示を指示する。データ放送処理部１０６は、受信されたデータ放送データから、表示用の画面のデータを生成して表示制御部１０７に送る。表示制御部１０７は、放送番組の画面に代えてデータ放送画面を表示する。
【００２５】
また、本実施形態のＴＶ受信機１００は、公知の電子番組表（ＥＰＧ）を使った録画予約、視聴予約、及び番組選択機能を持つ。
【００２６】
制御部１１０は、前述の如くＴＳデコーダ１０４からＳＩデータを受けると、これを一旦ＨＤＤ１１２に記憶する。そして、操作入力部１０９によりＥＰＧ表示の指示があると、ＨＤＤ１１２からＳＩデータを読み出し、このＳＩデータに基づいてＥＰＧの表示画面のデータを生成して表示制御部１０７に送る。そして、表示制御部１０７によりＥＰＧ画面をディスプレイ１０８に表示する。
【００２７】
ユーザは、ディスプレイ１０８に表示されたＥＰＧ画面を見ながら操作入力部１０９を操作することにより、受信チャンネルを切り替えることができる。また、ユーザは、ＥＰＧ画面を利用して、録画予約や視聴予約を指示することができる。
【００２８】
例えば、録画予約を実行する場合、ユーザは、ＥＰＧ画面に表示された放送番組の中から録画を希望する番組を選択する。そして、予約決定を指示すると、制御部１１０は、ＨＤＤ１１２に記憶されたＳＩデータに基づいて、選択された番組の放送日時、チャンネルの情報を検出し、ＥＰＧ録画予約情報としてＨＤＤ１１２に記憶する。なお、本実施形態では、放送番組の録画先として、ＨＤＤ１１２とディスクＤの何れかを選択することができるが、録画動作については後述する。
【００２９】
また、本実施形態のＴＶ受信機１００は、ＥＰＧによる録画予約だけでなく、タイマー録画の機能を持つ。
【００３０】
タイマー録画の予約設定について説明する。
制御部１１０は、操作入力部１０９によりユーザからタイマー録画の設定指示があると、表示制御部１０７により、タイマー録画の予約設定用の画面をディスプレイ１０８に表示する。ユーザは、操作入力部１０９により、所望の録画開始、停止日時とチャンネル、録画先メディアを設定する。そして、制御部１１０は、設定された録画開始、停止日時とチャンネル、及び録画先メディアの情報を、タイマー録画予約情報としてＨＤＤ１１２に記憶する。
【００３１】
次に、テレビ放送の録画動作について説明する。
まず、前述の如くテレビ放送の視聴中における録画動作について説明する。
【００３２】
前述の様にテレビ放送を視聴中、操作入力部１０９により記録開始の指示があると、制御部１１０はＴＳデコーダ１０４に対し、指定チャンネルのデータの出力を指示する。ＴＳデコーダ１０４は、復調部１０３からのＴＳから指定チャンネルのパケットＩＤ（ＰＩＤ）を有する映像データ、音声データ、制御信号、ＳＩ、データ放送用データを抽出し、これらを多重化してＴＳを生成する。そして、この多重化ＴＳをＨＤＤ１１２、または、ＤＶＤドライブ１１３に出力する。
【００３３】
ユーザは操作入力部１０９により、ＨＤＤ１１２と光ディスクＤの何れに記録するかを選択することができる。
【００３４】
ＨＤＤ１１２が選択されていた場合、ＴＳデコーダ１０４は多重化ＴＳをＨＤＤ１１２に送る。制御部１１０はＨＤＤ１１２に対して多重化ＴＳの記録開始を指示する。ＨＤＤ１１２はＴＳデコーダ１０４からの多重化ＴＳを記録する。
【００３５】
この状態で操作入力部１０９により記録停止の指示があると、制御部１１０はＨＤＤ１１２、またはＤＶＤドライブ１１３に対して記録停止を指示し、ＨＤＤ１１２またはディスクＤに対する多重化ＴＳの記録を停止する。
【００３６】
次に、予約録画時の動作を説明する。
【００３７】
制御部１１０は、内蔵タイマの出力に基づいてＨＤＤ１１２に記憶された録画予約情報に指定された予約日時になったことを検出すると、ＴＶ受信機１００の電源を投入する。そして、録画予約情報に指定されたチャンネルの放送信号を受信してＴＳを出力するよう、チューナ１０２、ＴＳデコーダ１０４を制御する。
【００３８】
そして、制御部１１０は、録画予約情報に基づいて、ＴＳデコーダ１０４から出力された多重化ＴＳのデータを、ＨＤＤ１１２またはディスクＤの何れかに記録する。なお、本実施形態では、録画予約設定時に、ＨＤＤ１１２とディスクＤの何れに録画するかを選択することになっている。
制御部１１０は、この様に設定された録画予約情報もＨＤＤ１１２に記憶する。
【００３９】
次に、本実施形態の特徴である、コンテンツ管理データの処理について説明する。
本実施形態では、ＨＤＤ１１２に対して受信された放送番組のデータを記録した場合に、コンテンツ管理部１１１により、ＨＤＤ１１２に記録された番組のデータを管理するためのコンテンツ管理データを生成している。そして、このコンテンツ管理データを用いて後述の如くＨＤＤ１１２に記録されたデータの再生動作を制御する。
【００４０】
図２は、本実施形態におけるコンテンツ管理データを示す図である。
図２において、コンテンツ管理データは、コンテンツＩＤ２０１、番組タイトル２０２、ジャンル２０３、記録日２０４、記録時間２０５、コピー情報２０６、録画ＩＤ２０７、ファイル名２０８から構成されている。なお、コピー情報２０６は、コピーワンス、そしてコピーフリーの属性を持つ。
【００４１】
コンテンツＩＤ２０１は、コンテンツ固有のＩＤ番号である。詳しくは後述するが、番組タイトルが変更した場合、及び、コピー情報の内容が変更した場合に、新たなコンテンツＩＤが生成される。
【００４２】
番組タイトル２０２は、ＨＤＤ１１２に記録されたデータの番組名を示している。コンテンツ管理部１１１は、ＴＳデコーダ１０４から出力されたＴＳのＳＩデータから番組名を検出する。具体的には、ＳＩに含まれるイベント情報テーブル（ＥＩＴ）の短形式イベント記述子（ｓｈｏｒｔ＿ｅｖｅｎｔ＿ｄｅｓｃｒｉｐｔｏｒ）から読み出した番組タイトルを示した数値（８ビットの整数倍）に基づいて番組名を検出する。なお、数値から文字への変換は指定の言語コードと文字情報を使って変換される。
【００４３】
ジャンル２０３は、記録された番組のジャンルを示している。コンテンツ管理部１１１は、イベント情報テーブル（ＥＩＴ）のコンテンツ記述子（ｃｏｎｔｅｎｔ＿ｄｅｓｃｒｉｐｔｏｒ）から読み出した番組ジャンルを示した数値を番組のジャンル２０３として記録する。
【００４４】
記録日２０４は、対応する番組のデータを記録開始した年月日を示している。コンテンツ管理部１１１は、制御部１１０に内蔵されたタイマの出力に基づいて記録日２０４を生成する。記録時間２０４は、該当するコンテンツＩＤのデータを記録した時間長を示している。コンテンツ管理部１１１は、制御部１１０に内蔵したタイマの出力に基づいて、対応するコンテンツＩＤのデータの記録開始時刻と記録終了時刻を検出することで記録時間長を算出し、記録する。
【００４５】
録画ＩＤ２０６は、録画単位を示す数値である。具体的には、１回の記録開始から記録終了までの間は、同じＩＤが記録される。ファイル名２０７は、ＨＤＤ１１２に記録されたデータのファイル名を示している。
【００４６】
次に、放送番組の録画動作に伴うコンテンツ管理データの処理について説明する。図３は記録時の処理を示すフローチャートである。図３の処理は、制御部１１０が各部を制御することにより実行される。
【００４７】
前述の様に、ユーザによる記録開始指示があるか、或いは、録画予約情報に基づく録画開始時刻になると、制御部１１０は、前述の如く指定されたチャンネル番組を受信し、ＨＤＤ１１２に記録する（ステップＳ３０１）。
【００４８】
コンテンツ管理部１１１は、ＴＳデコーダ１０４から出力されたＴＳの中から、ＳＩを抽出する。そして、ＳＩから記録中の番組タイトルとジャンルを検出する。そして、図２に示したように、コンテンツＩＤや記録日、録画ＩＤを含むコンテンツ管理データを生成してＨＤＤ１１２に記録する（ステップＳ３０２）。
【００４９】
その後、指定チャンネルの多重化ＴＳを記録している間、コンテンツ管理部１１１は、ＳＩを繰り返しチェックし、番組タイトルの内容と、前回抽出した内容との比較を行う（ステップＳ３０３）。比較した結果、番組タイトルの内容の変化を検出した場合は、ステップＳ３０２に戻り、新たにコンテンツＩＤを設定する。そして、新しく抽出した番組タイトルに基づいてコンテンツ管理データを更新する。なお、記録時間２０５については、ステップＳ３０３で番組タイトルが変更になり、コンテンツＩＤが更新した時点で決定される。
【００５０】
そして、ユーザによる記録停止指示があるか、或いは、録画予約情報による録画停止時刻になると（ステップＳ３０４）、ＨＤＤ１１２に対する多重化ＴＳの記録を停止する（ステップＳ３０５）。本実施形態では、１回の記録開始の指示から記録停止の指示までの間に記録された一連の多重化ＴＳのデータを一つのファイルとして管理する。ＨＤＤ１１２は、記録された各多重化ＴＳのデータを管理するためのファイルシステムを含んでおり、実際にハードディスクに対するデータの書き込み、読み出しはこのファイルシステムを介して実行される。そして、コンテンツ管理データ中の記録時間の情報を更新する（ステップＳ３０６）。
【００５１】
次に、制御部１１０は、コンテンツ管理データに基づいて、今回記録した一つの多重化ＴＳ中に複数の番組タイトルが含まれているか否かを判別する（ステップＳ３０７）。複数の番組が含まれていた場合、制御部１１０は、コンテンツ管理データに基づいて、放送番組毎に再生するためのプレイリストを生成する（ステップＳ３０８）。プレイリストとは、ＨＤＤ１１２に記録されたデータの再生手順を制御するためのデータである。ここでは、各コンテンツＩＤに対応する番組名と記録時間の情報に基づいて、ＨＤＤ１１２に記録された一連の多重化ＴＳデータのうち、各番組に対応した時間を指定して再生するためのプレイリストを生成する。
【００５２】
また、ステップＳ３０７において、複数の番組が含まれていなかった場合はそのまま処理を終了する。
以上の手順に沿ってＨＤＤ１１２に記録されたコンテンツ管理データの一例を図４に示す。
【００５３】
図５では、２００６年１１月１２日、２００６年１２月８日、２００６年１２月１１日、及び、２００６年１２月１５日にそれぞれ放送番組を記録している。コンテンツＩＤ１〜３が２００６年１１月１２日に記録された放送番組の管理データである。また、コンテンツＩＤ４、５が２００６年１２月８日に記録された放送番組の管理データである。また、コンテンツＩＤ６が２００６年１２月１１日に記録された放送番組の管理データである。また、コンテンツＩＤ７が２００６年１２月１５日に記録された放送番組の管理データである。各コンテンツＩＤは、番組タイトル４０２が変化した場合に更新されている。
【００５４】
また、この様に記録されたデータについて、以下の様な番組タイトル別のプレイリストが生成される。
【００５５】
まず、番組タイトルＡについては、ファイル００１の先頭から１時間経過時点までを再生するプレイリストとなる。番組タイトルＢについては、ファイル００１の１時間経過時点から１時間５４分経過時点までを再生するプレイリストとなる。番組タイトルＣについては、ファイル００１の１時間５４分経過時点から最後までを再生するプレイリストとなる。番組タイトルＤについては、ファイル００２の先頭から２時間４８分１５秒の時点までを再生するプレイリストとなる。番組タイトルＥについては、ファイル００２の２時間４８分１５秒の時点から最後までを再生するプレイリストとなる。番組タイトルＦについては、一つの多重化ＴＳデータファイル００３中で番組の変更が無いので、番組タイトル別のプレイリストは生成しない。番組タイトルＧについては、一つの多重化ＴＳデータファイル００４中で番組の変更が無いので、番組タイトル別のプレイリストは生成しない。
【００５６】
次に、この様なコンテンツ管理データを利用した再生動作について説明する。
図７は本実施形態における再生時の処理を示すフローチャートである。ユーザは操作入力部１０９により記録コンテンツ一覧を表示し、一覧表示された記録コンテンツの中から選択したものを再生することができる。
【００５７】
操作入力部１０９によりコンテンツ一覧表示の指示があると、図７のフローがスタートする。なお、図７のフローは制御部１１０が各部を制御することにより実行される。
【００５８】
コンテンツ一覧表示の指示があると、制御部１１０はまず、ＨＤＤ１１２に記録されたコンテンツ管理データを読み出す。そして、コンテンツ管理データに基づいて、番組タイトル単位のコンテンツリストを生成し、表示制御部１０７を制御して、ディスプレイ１０８に番組タイトル単位のコンテンツリストを表示する（ステップＳ７０１）。この番組タイトル単位のコンテンツリストは、タイトル単位に再生したい番組を選択するための選択用画面として用いられる。
【００５９】
図５は、図４のコンテンツ管理データに基づいて生成した番組タイトル単位のコンテンツリストの様子を示す図である。
【００６０】
図５において、表示画面５０１には、番組タイトル単位のコンテンツリスト５０２が表示される。ここでは、番組タイトルが同じコンテンツＩＤのデータをまとめて一つの番組として表示する。このとき、記録時間は、各コンテンツＩＤの記録時間を表示する。
【００６１】
５０３はカーソルであり、ユーザは操作入力部１０９の十字キーを操作することでカーソル５０３を上下に移動して、再生したい番組タイトルを選択することができる。ユーザは、所望の番組タイトルを選択した後、再生ボタンを操作することで再生開始を指示することができる。
【００６２】
また、５０４は録画単位のコンテンツリスト表示への切り替えボタン、５０５はコンテンツリストの表示を停止する戻りボタンである。ユーザは操作入力部１０９の十字キーを操作することでカーソル５０３をコンテンツリスト５０２上からボタン５０４、或いは５０５上に移動させることができる。また、ボタン５０４、５０５の何れかにカーソルを移動させた状態で、ボタン５０４と５０５の間でカーソル５０３を移動させることができる。
【００６３】
制御部１１０は、図５の如きコンテンツリストを表示した後、再生指示があったか否かを判別する（ステップＳ７０２）。再生指示があった場合、再生処理に移行する（ステップＳ７１０）。
【００６４】
また、再生指示が無かった場合、ユーザがボタン５０５にカーソル５０３を移動させた状態で決定ボタンが操作され、コンテンツリストの表示停止が指示されたか否かを判別する（ステップＳ７０３）。ここで、コンテンツリストの表示停止が指示されると、コンテンツリストの表示を消して処理を終了する（ステップＳ７０４）。
【００６５】
また、ステップＳ７０３で戻りボタン５０５の操作が無い場合、ユーザがボタン５０４にカーソル５０３を移動させた状態で決定ボタンが操作され、録画単位のコンテンツリスト表示が指示されたか否かを判別する（ステップＳ７０５）。録画単位のコンテンツリスト表示の指示も無かった場合にはステップＳ７０１に戻る。
【００６６】
また、録画単位のコンテンツリスト表示の指示があった場合、制御部１１０は、ＨＤＤ１１２に記録されたコンテンツ管理データに基づいて、録画単位のコンテンツリストを生成する。そして、表示制御部１０７を制御して、ディスプレイ１０８に番組タイトル単位のコンテンツリストを表示する（ステップＳ７０１）。
【００６７】
図６は、図４のコンテンツ管理データに基づいて生成した録画単位のコンテンツリストの様子を示す図である。
【００６８】
図６において、表示画面６０１には、録画単位のコンテンツリスト６０２が表示される。ここでは、図４において録画ＩＤが同じコンテンツＩＤのデータをまとめて一つのコンテンツとして表示する。このとき、記録時間は、録画ＩＤが同じコンテンツＩＤの記録時間を全て合計して表示する。図４においては、コンテンツＩＤ１〜３が同じ録画ＩＤなので、図６では、これらをまとめて一つのコンテンツとして表示する。このとき、同じ録画ＩＤ１のコンテンツＩＤのうち、最初に記録された番組のタイトルＡを番組タイトルとして表示する。また、コンテンツＩＤ４と５が同じ録画ＩＤなので、これらをまとめて一つのコンテンツとして表示する。
【００６９】
前述のように、１回の記録開始から記録終了までの間に記録された多重化ＴＳに対しては同じＩＤが記録される。そのため、録画単位のコンテンツリスト６０２に表示された各コンテンツは、それぞれ１回の録画動作によって記録された一連の多重化ＴＳデータである。また、コンテンツリスト６０２の各コンテンツは、それぞれＨＤＤ１１２上では一つのファイルとして管理されている。
【００７０】
６０３はカーソルであり、ユーザは操作入力部１０９の十字キーを操作することでカーソル６０３を上下に移動して、再生したいコンテンツを選択することができる。ユーザは、所望のコンテンツを選択した後、再生ボタンを操作することで再生開始を指示することができる。
【００７１】
また、６０４は番組タイトル単位のコンテンツリスト表示への切り替えボタン、６０５はコンテンツリストの表示を停止する戻りボタンである。ユーザは操作入力部１０９の十字キーを操作することでカーソル６０３をコンテンツリスト６０２上からボタン６０４、或いは６０５上に移動させることができる。また、ボタン６０４、６０５の何れかにカーソルを移動させた状態で、ボタン６０４と６０５の間でカーソル６０３を移動させることができる。
【００７２】
制御部１１０は、図６の如きコンテンツリストを表示した後、再生指示があったか否かを判別する（ステップＳ７０７）。再生指示があった場合、再生処理に移行する（ステップＳ７１０）。
【００７３】
また、再生指示が無かった場合、ユーザがボタン６０５にカーソル６０３を移動させた状態で決定ボタンが操作され、コンテンツリストの表示停止が指示されたか否かを判別する（ステップＳ７０８）。ここで、コンテンツリストの表示停止が指示されると、コンテンツリストの表示を消して処理を終了する。
【００７４】
また、ステップＳ７０８で戻りボタン６０５の操作が無い場合、ユーザがボタン６０４にカーソル６０３を移動させた状態で決定ボタンが操作され、番組タイトル単位のコンテンツリスト表示が指示されたか否かを判別する（ステップＳ７０９）。番組タイトル単位のコンテンツリスト表示の指示も無かった場合にはステップＳ７０６に戻る。
【００７５】
一方、番組タイトル単位のコンテンツリスト表示の指示があった場合、ステップＳ７０１に戻って、前述の様に、再び番組タイトル単位のコンテンツリストをディスプレイ１０８に表示する。
【００７６】
次に、ステップＳ７１０の再生処理について説明する。
図８は再生処理を示すフローチャートである。図８のフローは、制御部１１０が各部を制御することによって実行される。
【００７７】
再生指示があると、まず、図６に示した録画単位のコンテンツリスト画面において再生が指示されたか否かを判別する（ステップＳ８０１）。録画単位のコンテンツリスト画面において再生が指示された場合、制御部１１０は、選択された録画単位のコンテンツに対応した多重化ＴＳデータをＨＤＤ１１２から再生する（ステップＳ８０２）。符号化処理部１０５は、再生された多重化ＴＳデータの映像データと音声データを復号し、それぞれ表示制御部１０７と音声出力部１１４に出力する。表示制御部１０７は再生された映像データをディスプレイ１０８に表示する。また、音声出力部１１４は、再生された音声データをスピーカ１１５から出力する。この状態で、再生停止の指示があると、制御部１１０はＨＤＤ１１２からのデータの再生を停止する（ステップＳ８１０）。
【００７８】
また、ステップＳ８０１で、図５の番組タイトル単位のコンテンツリスト画面において再生が指示されていた場合、ステップＳ８０４に進む。そして、コンテンツリストにおいて選択された番組タイトルが、プレイリストによる再生が不要なオリジナルのデータであるか否かを判別する。
【００７９】
即ち、図５のコンテンツリストにおいて、Ｎｏ．１、２、３の番組タイトルは、リスト上は異なるタイトルとして表示しているものの、同じ多重化ＴＳデータのファイルに含まれている。そのため、これらＮｏ．１、２、３の番組タイトルを再生するためには、放送番組毎のプレイリストに従って再生する必要がある。
【００８０】
一方、図５のコンテンツリストにおいて、Ｎｏ．６、７の番組タイトルは、一つの多重化ＴＳデータのファイルと同じであるため、プレイリストにより再生する必要が無い。
【００８１】
そこで、ステップＳ８０４において、オリジナルの多重化ＴＳデータに対応した番組タイトルが選択された場合、制御部１１０は選択された番組タイトルの多重化ＴＳデータをＨＤＤ１１２から再生する（ステップＳ８０５）。再生された映像データと音声データは符号化処理部１０５によって復号され、再生された映像がディスプレイ１０８に表示され、音声がスピーカ１１５から出力される。そして、再生停止の指示があると再生を停止する（ステップＳ８０６）。
【００８２】
また、ステップＳ８０４において、プレイリストによる再生が必要な番組タイトルが選択された場合、制御部１１０は、選択された番組タイトルのプレイリストをＨＤＤ１１２から読み出す（ステップＳ８０７）。そして、このプレイリストに従ってＨＤＤ１１２から多重化ＴＳデータを再生する（ステップＳ８０８）。再生された映像データと音声データは符号化処理部１０５によって復号され、再生された映像がディスプレイ１０８に表示され、音声がスピーカ１１５から出力される。そして、再生停止の指示があると再生を停止する（ステップＳ８０９）。
【００８３】
次に、コンテンツ管理データを利用したダビング処理について説明する。
本実施形態においては、ＨＤＤ１１２に記録された多重化ＴＳデータを、ＤＶＤドライブ１１３によりディスクＤに対してダビングすることができる。
【００８４】
図９は、ダビング時における処理を示すフローチャートである。ユーザが操作入力部１０９によりダビングボタンを操作すると図９のフローが開始する。なお、図９の処理は、制御部１１０が各部を制御することにより実行される。
【００８５】
ダビング処理の指示があると、制御部１１０はまず、ＨＤＤ１１２に記録されたコンテンツ管理データを読み出す。そして、コンテンツ管理データに基づいて、番組タイトル単位のコンテンツリストを生成し、表示制御部１０７を制御して、ディスプレイ１０８に、図５に示した番組タイトル単位のコンテンツリストを表示する（ステップＳ９０１）。
【００８６】
ユーザは操作入力部１０９の十字キーを操作することでカーソル５０３を上下に移動して、ダビングしたい番組タイトルを選択することができる。ユーザが所望の番組タイトルを選択した後、操作入力部１０９の選択キーを操作することで、ダビング候補の番組タイトルが決定される。そして、ダビング候補の番組タイトル選択後、操作入力部１０９の決定ボタンが操作されると、ダビング処理に移行する。
【００８７】
即ち、制御部１１０は、図５の如きコンテンツリストを表示した後、決定ボタンが操作され、ダビングが指示されたか否かを判別する（ステップＳ９０２）。ダビングが指示された場合、ダビング処理に移行する（ステップＳ９１０）。
【００８８】
また、ダビング指示が無かった場合、ユーザが戻りボタン５０５にカーソル５０３を移動させた状態で決定ボタンが操作され、コンテンツリストの表示停止が指示されたか否かを判別する（ステップＳ９０３）。ここで、コンテンツリストの表示停止が指示されると、コンテンツリストの表示を消して処理を終了する（ステップＳ９０４）。
【００８９】
また、ステップＳ９０３で戻りボタン５０５の操作が無い場合、録画単位のコンテンツリスト表示が指示されたか否かを判別する（ステップＳ９０５）。
【００９０】
録画単位のコンテンツリスト表示の指示があった場合、制御部１１０は、ＨＤＤ１１２に記録されたコンテンツ管理データに基づいて、録画単位のコンテンツリストを生成する。そして、表示制御部１０７を制御して、ディスプレイ１０８に対し、図６に示した録画単位のコンテンツリストを表示する（ステップＳ９０６）。
【００９１】
ユーザは操作入力部１０９の十字キーを操作することでカーソル６０３を上下に移動して、ダビングしたいコンテンツを選択することができる。ユーザが所望のコンテンツを選択した後、操作入力部１０９の選択キーを操作することで、ダビング候補のコンテンツが決定される。そして、ダビング候補のコンテンツ選択後、操作入力部１０９の決定ボタンが操作されると、ダビング処理に移行する。
【００９２】
即ち、制御部１１０は、図６の如きコンテンツリストを表示した後、決定ボタンが操作され、ダビングが指示されたか否かを判別する（ステップＳ９０７）。ダビングが指示された場合、ダビング処理に移行する。
【００９３】
また、ダビング指示が無かった場合、ユーザが戻りボタン６０５にカーソル６０３を移動させた状態で決定ボタンが操作され、コンテンツリストの表示停止が指示されたか否かを判別する（ステップＳ９０８）。ここで、コンテンツリストの表示停止が指示されると、コンテンツリストの表示を消して処理を終了する。
【００９４】
また、戻りボタン６０５の操作が無い場合、番組タイトル単位のコンテンツリスト表示が指示されたか否かを判別する（ステップＳ９０９）。番組タイトル単位のコンテンツリスト表示の指示があった場合、ステップＳ９０１に戻る。
【００９５】
また、番組タイトル単位のコンテンツリスト表示の指示が無かった場合、ステップＳ９０６に戻る。
【００９６】
次に、ステップＳ９１０のダビング処理について説明する。
図１０はダビング処理を示すフローチャートである。なお、図１０の処理は、制御部１１０が各部を制御することにより実行される。
【００９７】
まず、図６の録画単位のコンテンツリストからダビング対象となるデータが選択されてダビング指示があったか否かを判別する（ステップＳ１００１）。
【００９８】
録画単位のコンテンツリストからダビング対象のコンテンツが選択された場合、制御部１１０は、選択された録画単位のコンテンツに対応した多重化ＴＳデータをＨＤＤ１１２から再生する（ステップＳ１００２）。そして、再生したデータをＤＶＤドライブ１１３によりディスクＤに記録する（ステップＳ１００３）。そして、残りダビング候補のコンテンツがあるか否かを判別する（ステップＳ１００４）。
【００９９】
残りのダビングコンテンツがある場合、次のコンテンツを選択し（ステップＳ１００５）、ステップＳ１４０２に戻って次のコンテンツのダビング処理を実行する。
また、残りのコンテンツが無い場合、処理を終了する。
【０１００】
また、ステップＳ１００１で、録画単位リストからダビングコンテンツが選択されていない場合、図５の番組タイトル別リストからダビング対象となるコンテンツが選択されたことになる。そこで、選択されたコンテンツが、プレイリストによる再生が不要なオリジナルのデータであるか否かを判別する（ステップＳ１００６）。
【０１０１】
即ち、図５の番組タイトル別リストにおいて、Ｎｏ．１、２、３の番組タイトルは、リスト上は異なるタイトルとして表示しているものの、同じ多重化ＴＳデータのファイルに含まれている。そのため、これらＮｏ．１、２、３の番組タイトルを再生するためには、放送番組毎のプレイリストに従って再生する必要がある。
【０１０２】
一方、Ｎｏ．６、７の番組タイトルは、一つの多重化ＴＳデータのファイルと同じであるため、プレイリストにより再生する必要が無い。
【０１０３】
そこで、ステップＳ１００６において、プレイリストによる再生が不要なオリジナルコンテンツが選択された場合、制御部１１０は、選択された番組タイトルの多重化ＴＳデータをＨＤＤ１１２から再生する（ステップＳ１００７）。そして、再生されたデータをディスクＤに記録する（ステップＳ１００８）。そして、残りダビング候補のコンテンツがあるか否かを判別する（ステップＳ１００９）。
【０１０４】
残りのダビングコンテンツがある場合、次のコンテンツを選択し（ステップＳ１０１０）、ステップＳ１００６に戻って次のコンテンツのダビング処理を実行する。
【０１０５】
また、ステップＳ１００６において、プレイリストによる再生が必要な番組タイトルが選択された場合、制御部１１０は、選択された番組タイトル別のプレイリストをＨＤＤ１１２から読み出す（ステップＳ１０１１）。なお、ここで読み出すプレイリストは、図３のステップＳ３０８で生成されたプレイリストである。
【０１０６】
そして、再生したプレイリストに従って、ＨＤＤ１１２から多重化ＴＳデータを再生し、符号化処理部１０５で復号する（ステップＳ１０１２）。そして、復号したデータを再び符号化し、多重化ＴＳデータを生成してディスクＤに記録する（ステップＳ１０１３）。
【０１０７】
そして、残りダビング候補のコンテンツがあるか否かを判別する（ステップＳ１００９）。残りのダビングコンテンツがある場合、次のコンテンツを選択し（ステップＳ１０１０）、ステップＳ１００６に戻って次のコンテンツのダビング処理を実行する。
残りのコンテンツが無い場合、処理を終了する。
【０１０８】
この様に、本実施形態では、テレビ放送の番組を録画する際に、記録された一連のデータにおける番組の変更が発生した部分を検出し、番組別のコンテンツ管理データを生成している。
【０１０９】
そして、コンテンツ管理データにより、記録された一連の動画像データを、番組タイトルに応じた部分毎に管理している。
【０１１０】
そして、再生時やダビング時に、番組タイトル別のコンテンツリストを表示することにより、ユーザは、１回の録画処理により記録されたデータ複数の番組が混在していた場合にもこれらを容易に識別できる。
そのため、番組タイトル別にコンテンツを選択して再生することができる。
【０１１１】
なお、本実施形態では、ＨＤＤに記録された放送番組のデータをＤＶＤにコピーしていた。これに限らず、ＤＶＤとＨＤＤの何れか選択された方の記録媒体に放送番組のデータを記録しておき、一方の記録媒体（第１の記録媒体）から他方の記録媒体（第２の記録媒体）に対してコピーする構成にすることももちろん可能である。
【０１１２】
次に、第２の実施形態を説明する。
前述の実施形態では、記録開始の指示から記録停止の指示までに記録された一連のデータを一つのファイルとして管理していた。
【０１１３】
しかし、これに限らず、例えば、番組の切り替わりの度に、ファイルを分割して管理するようにしてもよい。
【０１１４】
具体的には、図４に示したコンテンツ管理データにおける各コンテンツＩＤ毎に別のファイルとして管理する。この様に構成することで、ダビング時に、各コンテンツＩＤに対応したファイルをディスクＤに記録すればよいので、ダビング時に復号、及び再符号化する必要がない。
【０１１５】
以下、第２の実施形態として、番組の切り替わりの度に、ファイルを分割して管理する場合の処理について説明する。なお、本実施形態においても、テレビ受信機１００の構成は前述の実施形態と同じである。
【０１１６】
まず、本実施形態における記録時の処理について、図１１のフローチャートを用いて説明する。なお、図１１の処理は、制御部１１０により各部を制御することにより実行される。
【０１１７】
ユーザによる記録開始指示があるか、或いは、録画予約情報に基づく録画開始時刻になると、制御部１１０は、前述の如く指定されたチャンネル番組を受信し、ＨＤＤ１１２に記録する（ステップＳ１１０１）。
【０１１８】
コンテンツ管理部１１１は、ＴＳデコーダ１０４から出力されたＴＳの中から、ＳＩを抽出する。そして、ＳＩから記録中の番組タイトルとジャンルを検出する。そして、図２に示したように、コンテンツＩＤや記録日、録画ＩＤを含むコンテンツ管理データを生成してＨＤＤ１１２に記録する（ステップＳ１１０２）。
【０１１９】
その後、指定チャンネルの多重化ＴＳを記録している間、コンテンツ管理部１１１は、ＳＩをチェックし、番組タイトルの内容と前回抽出した内容とを比較する（ステップＳ１１０３）。比較した結果、番組タイトルの変化を検出した場合、現在番組のデータを格納しているファイルをクローズし、新たなファイルを生成する（ステップＳ１１０７）。そして、ステップＳ１１０２に戻り、新たにコンテンツＩＤを設定する。そして、新しく抽出した番組タイトルに基づいてコンテンツ管理データを更新する。ステップＳ１１０７で新たにファイルをオープンする度に、自動的にファイル名が決定される。
【０１２０】
そして、ユーザによる記録停止指示があるか、或いは、録画予約情報による録画停止時刻になると（ステップＳ１１０４）、ＨＤＤ１１２に対する多重化ＴＳの記録を停止する（ステップＳ１１０５）。ＨＤＤ１１２は、記録された各多重化ＴＳのデータを管理するためのファイルシステムを含んでおり、実際にハードディスクに対するデータの書き込み、読み出しはこのファイルシステムを介して実行される。そして、コンテンツ管理データ中の記録時間の情報を更新する（ステップＳ１１０６）。
【０１２１】
以上の手順に沿ってＨＤＤ１１２に記録されたコンテンツ管理データの一例を図１２に示す。
【０１２２】
図１２は図４に示したコンテンツ管理データとほとんど同じであるが、各コンテンツＩＤに対応するファイル名が異なっている。本実施形態では、番組タイトルあるいはコピー情報が変化する度に新たなファイルを生成するため、図１２に示すように、コンテンツＩＤの間で、互いにファイル名が異なる。
【０１２３】
次に、この様なコンテンツ管理データを利用した再生動作について説明する。
本実施形態においても、前述の実施形態と同様、図７のフローチャートに従って再生処理が実行される。即ち、図１２のコンテンツ管理データに基づいて、図５、或いは図６に示したコンテンツリストをディスプレイ１０８に表示し、ユーザはこれらのコンテンツリストから再生したいコンテンツを選択する。
【０１２４】
ユーザにより再生コンテンツが選択されると、再生処理を実行するが、再生処理が第１の実施形態とは異なる。
【０１２５】
次に、本実施形態におけるステップＳ７１０の再生処理について説明する。
図１３は再生処理を示すフローチャートである。図１３のフローは、制御部１１０が各部を制御することによって実行される。
【０１２６】
再生指示があると、制御部１１０は、コンテンツ管理データに基づいて、図５或いは図６のコンテンツリストにて選択されたコンテンツに対応した多重化ＴＳデータのファイル名を検出する（ステップＳ１３０１）。そして、検出されたファイル名の多重化ＴＳデータをＨＤＤ１１２から再生する（ステップＳ１３０２）。符号化処理部１０５は、再生された多重化ＴＳデータの動画像データと音声データを復号し、それぞれ表示制御部１０７と音声出力部１１４に出力する。表示制御部１０７は再生された動画像データをディスプレイ１０８に表示する。また、音声出力部１１４は、再生された音声データをスピーカ１１５から出力する。この状態で、再生停止の指示があると（ステップＳ１３０３）、制御部１１０はＨＤＤ１１２からのデータの再生を停止する（ステップＳ１３０４）。
【０１２７】
例えば、図５の番組タイトル単位のコンテンツリストにおいて、番組Ｃの再生が指示された場合には、図１２のコンテンツ管理データにおいて番組Ｃに対応するコンテンツＩＤを検出する。ここでは、番組Ｃに対応するコンテンツＩＤは３〜５である。これらのコンテンツＩＤに対応するファイル名は、ファイル００３である。そこで、ファイル００３をＨＤＤ１１２から再生する。
【０１２８】
また、図６の録画単位のコンテンツリストにおいて、１番のコンテンツの再生が指示された場合、図１２のコンテンツ管理データにおいて録画ＩＤが１であるコンテンツＩＤを検出する。ここでは、録画ＩＤが１のコンテンツＩＤは１〜３である。これらのコンテンツＩＤに対応するファイル名は００１、００２、００３である。そこで、これらのファイルを順にＨＤＤ１１２から再生する。
【０１２９】
次に、コンテンツ管理データを利用したダビング処理について説明する。
本実施形態においても第１の実施形態と同様、図９のフローチャートに従ってダビング処理が実行される。即ち、図１２のコンテンツ管理データに基づいて、図５、或いは図６に示したコンテンツリストをディスプレイ１０８に表示し、ユーザはこれらのコンテンツリストからダビングしたいコンテンツを選択する。
【０１３０】
ユーザによりダビングコンテンツが選択されると、ダビング処理を実行するが、ダビング処理が第１の実施形態とは異なる。
【０１３１】
次に、本実施形態におけるステップＳ９１０のダビング処理について説明する。図１４はダビング処理を示すフローチャートである。なお、図１４の処理は、制御部１１０が各部を制御することにより実行される。
【０１３２】
制御部１１０は、コンテンツ管理データに基づいて、図５、或いは図６のコンテンツリストにて選択されたコンテンツに対応した多重化ＴＳデータのファイル名を検出する（ステップＳ１４０１）。そして、検出されたファイル名の多重化ＴＳデータをＨＤＤ１１２から再生する（ステップＳ１４０２）。そして、再生した各ファイルのデータをＤＶＤドライブ１１３によりディスクＤに記録する（ステップＳ１４０３）。そして、残りダビング候補のコンテンツがあるか否かを判別する（ステップＳ１４０４）。
【０１３３】
残りのダビングコンテンツがある場合、次のコンテンツを選択し（ステップＳ１４０５）、ステップＳ１４０１に戻って次のコンテンツのダビング処理を実行する。
また、残りのコンテンツが無い場合、処理を終了する。
【０１３４】
この様に、本実施形態においても、テレビ放送の番組を録画する際に、記録された一連のデータにおける番組の変更が発生した部分を検出し、番組別のコンテンツ管理データを生成している。
【０１３５】
そして、ダビング時に、コンテンツ管理データに基づいて番組タイトル別のコンテンツリストを表示することにより、ユーザは、１回に録画されたコンテンツの中に複数の番組が混在していた場合にもこれらを容易に識別できる。
そのため、記録された画像データを番組毎に選択してダビングすることができる。
【０１３６】
なお、第２の実施形態では、番組の変更に応じてＴＳデータを格納するファイルを分割していた。この様に構成した場合、番組タイトルが変化する度に新たにファイルが作成されることになる。
【０１３７】
そのため、ＨＤＤのデータを管理するためのファイルシステムの都合により、記録できるファイル数が限られている場合には、録画中に番組が変化した場合でも、新たにファイルを作成することができないことが考えられる。
【０１３８】
その場合には、第１の実施形態の様に、新たなファイルを作成できなくなった時点から、番組タイトル別のプレイリストを作成するようにしてもよい。
【０１３９】
また、第１の実施形態によれば、第２の実施形態に比べて、ＨＤＤに記録されるファイル数が少ない。そのため、この様なファイル数の制限がある場合であっても、ＨＤＤに記録されたファイル数が上限に達する可能性が低くなる。
【０１４０】
また、第１の実施形態では、１回の録画指示で記録されるＴＳデータを一つのファイルとして管理するので、ファイルを削除する場合にも、まとめて削除される。
【０１４１】
そのため、第２の実施形態の様に、番組タイトル別のファイル毎に削除する場合に比べ、ＨＤＤの断片化（フラグメンテーション）が発生することが少ない。
【図面の簡単な説明】
【０１４２】
【図１】本発明の実施形態における記録装置の構成を示す図である。
【図２】コンテンツ管理データを示す図である。
【図３】実施形態の記録処理を示すフローチャートである。
【図４】コンテンツ管理データを示す図である。
【図５】番組タイトル単位のコンテンツリストを示す図である。
【図６】録画単位のコンテンツリストを示す図である。
【図７】実施形態の再生処理を示すフローチャートである。
【図８】実施形態の再生処理を示すフローチャートである。
【図９】実施形態のダビング処理を示すフローチャートである。
【図１０】実施形態のダビング処理を示すフローチャートである。
【図１１】実施形態の記録処理を示すフローチャートである。
【図１２】コンテンツ管理データを示す図である。
【図１３】実施形態の再生処理を示すフローチャートである。
【図１４】実施形態のダビング処理を示すフローチャートである。
【図１】
2008294833.tif 000003
【図２】
2008294833.tif 000004
【図３】
2008294833.tif 000005
【図４】
2008294833.tif 000006
【図５】
2008294833.tif 000007
【図６】
2008294833.tif 000008
【図７】
2008294833.tif 000009
【図８】
2008294833.tif 000010
【図９】
2008294833.tif 000011
【図１０】
2008294833.tif 000012
【図１１】
2008294833.tif 000013
【図１２】
2008294833.tif 000014
【図１３】
2008294833.tif 000015
【図１４】
2008294833.tif 000016